(57)【特許請求の範囲】
【請求項１】
把持可能なケーシング（２）と、
該ケーシングに対して移動し且つ使用形態において該ケーシング（２）から突出する可動式の付着ヘッド（３）と、
基材に実装される部材を支持する支持ストリップ（５）と、
前記ケーシング（２）内に配置され且つ前記付着ヘッドの上を前記ストリップを移動させるようにデザインされたストリップ移動デバイス（６）と、
前記ケーシング（２）と付着ヘッドとに接続されたリターンデバイス（８）と、を具備し、
前記リターンデバイスは少なくとも第１磁石部材と第２磁石部材とを具備し、該第１および第２磁石部材は使用形態において互いに概略対面して反対方向に磁力線を発生するように配置された手動ストリップアプリケータ（１）において、
前記リターンデバイスは、使用形態において前記付着ヘッドのケーシング（２）に関連した近位位置と遠位位置との間の変位を可能とし、使用形態において前記実装ヘッドを前記遠位位置へと移動させる復元力を負荷するように形成されていることを特徴とするアプリケータ。
【請求項２】
前記第２磁石部材は前記ストリップ移動デバイスに一体的に取り付けられ、使用形態において前記付着ヘッドの変位の方向に略平行な磁力線を発生するようにデザインされていることを特徴とする請求項１に記載のアプリケータ。
【請求項３】
前記ケーシング（２）は前記ストリップ移動デバイス（６）の並進運動をガイドするための部材（２２）を備え、該部材は前記付着ヘッド（３）に近位位置において前記第２磁石部材が前記第１磁石部材とほぼ接触するようにデザインされていることを特徴とする請求項２に記載のアプリケータ。
【請求項４】
前記第１磁石部材は前記第１磁石部材の回転を第１位置と第２位置との間で制御するようにデザインされた手動式作動部材に接続されており、前記第１位置は、前記アプリケータ（１）が前記付着ヘッド（３）の使用形態にあり、前記第２位置は、前記アプリケータが前記付着ヘッドの退避位置にあることを特徴とする請求項２に記載のアプリケータ。
【請求項５】
前記第１磁石部材および第２磁石部材の各々は、使用形態および退避形態において互いに対面した略平坦な側面をそれぞれ備えていることを特徴とする請求項４に記載のアプリケータ。
【請求項６】
前記第１磁石部材は、各々が単極の面を形成した２つの反対端を備え、前記磁石部材（Ａ）の回転は前記付着ヘッドの変位の方向に直交した軸（Ｘ）の周りに行われることを特徴とする請求項５に記載のアプリケータ。
【請求項７】
前記第２磁石部材は、少なくとも双極性で前記第１磁石部材に面したほぼ平坦な面を備え、前記第１磁石部材は前記付着ヘッドの変位の方向に平行な回転軸（Ｘ´）を備えていることを特徴とする請求項５に記載のアプリケータ。
【請求項８】
前記付着ヘッド（３）とストリップ移動デバイス（６）とは一体的に取り付けられ、前記ケーシング（２）のガイド部材（７，２２）によって並進移動においてガイドされており、前記第１磁石部材は前記ケーシング（２）に固定され、前記第２磁石部材は前記ストリップ移動デバイス（６）に固定されていることを特徴とする請求項１〜７のいずれか一項に記載のアプリケータ。
【請求項９】
使用形態において、前記付着ヘッドの変位の方向に沿って前記第１磁石部材の位置を調節するための部材を具備していることを特徴とする請求項４〜８のいずれか一項に記載のアプリケータ。
【請求項１０】
前記遠位位置と近位位置との間の前記付着ヘッドの変位の振幅が２〜１０ｍｍの間であることを特徴とする請求項２に記載のアプリケータ。
【請求項１１】
前記遠位位置と近位位置との間における前記付着ヘッドの近位位置に向かう復元力は０．５〜１２Ｎの間であり、前記近位位置に接近したときに非常に顕著に増大することを特徴とする請求項１〜１０のいずれか一項に記載のアプリケータ。
【請求項１２】
把持可能なケーシングと、
該ケーシングに対して移動し且つ使用形態において該ケーシング（２）から突出する可動式の付着ヘッド（３）と、
基材に実装される部材を支持する支持ストリップ（５）と、
前記ケーシング（２）内に配置され且つ前記付着ヘッド（３）の上を前記ストリップ（５）を移動させるようにデザインされたストリップ移動デバイス（６）と、
ケーシングに接続された第１磁石部材と前記付着ヘッドに接続された第２磁石部材とを具備した磁石デバイスと、を具備し、
該磁石デバイスは前記付着ヘッドを退避形態に対応した前記ケーシング内の位置から、使用形態に対応した突出位置まで移動させることを特徴とするアプリケータ。
【請求項１３】
前記磁石デバイスは２つの調節設定を備えた手動の作動部材を具備し、前記第１磁石部材は前記手動の作動部材に接続され、前記第２磁石部材は前記ストリップ移動デバイスに一体的に取り付けられていることを特徴とする請求項１２に記載のアプリケータ。
【発明の詳細な説明】
【技術分野】
【０００１】
本発明は基材上に部材を移送することが可能なストリップまたはリボンを備えた装置に関する。より詳細には、本発明は手動ストリップアプリケータに関し、把持可能なケーシングと、ケーシングに対して移動し且つ使用形態においてケーシングから突出する可動式の付着ヘッドと、基材に実装される部材を支持する支持ストリップと、ケーシング内に配置され且つ付着ヘッドの上をストリップを移動させるようにデザインされたストリップ移動デバイスと、を具備している。そのようなデバイスは一般的に片手で使用可能であり、筆箱に格納されることが可能である。
【背景技術】
【０００２】
このタイプのアプリケータは修正フィルム、ペーストまたは基材に接着される他の材料を塗付するために周知である。あるモデルは退避可能なヘッドを備え、使用しない場合にはヘッドを保護している。
【０００３】
一例として、特許文献１は付着ヘッドを突出させるボタンを具備したアプリケータを記載している。本体の内側に配置されたバネは退避位置に向かう弾性力を要素に負荷している。ヘッドが前進した場合バネは圧縮される。ヘッドが、使用するための突出位置に到達した場合、ヘッドはロック機構によって所定の位置にロックされる。付着ヘッドの退避はロック解除機構によって素早く行われることが可能である。
【先行技術文献】
【特許文献】
【０００４】
【特許文献１】特開２００７−１８２０８２号公報
【特許文献２】特開平１１−２２７３８６号公報
【発明の概要】
【発明が解決しようとする課題】
【０００５】
ストリップアプリケータの利点は、塗付される部材の最終的な状況がしばしば所望の通りでないことである。これは特に修正フィルムの移送の場合に当てはまる。ユーザがサポートに対する圧力を緩和した場合、フィルムはサポートに正確に接着されない。塗付の終了の場合にも問題が存在する。フィルムは短すぎまたは長すぎて、正確に切断されないかもしれない。
【０００６】
したがって、このタイプのアプリケータ装置には、きれいな文書を獲得するために、フィルムの移送においてより正確性を望む使用者にとってある種の取り扱いの困難性が存在している。
【０００７】
他のタイプのアプリケータが公知であり、それは特にストリップ移動デバイスの回転を制限することによって供給されるストリップの長さが制限されるようにデザインされており、単一の移送動作の際に付着ヘッドの上を移動するサポートストリップはあらかじめ定められたものとなっている。特許文献２はこのタイプのアプリケータを開示しており、移送はスタンプを押すことに類似したスタンピングによって、孤立した規則においてのみ実行することが可能である。このストリップの長さの制限はこのアプリケータの利点を減少している。さらに、このタイプのアプリケータは正確な移送が可能でない。なぜならば、一般的に長方形の付着ヘッドは大きな面を覆い、したがって、目標の領域において可視性が減少しているためである。
【０００８】
本発明の目的は、基材上への部材の塗付の精度を改良した手動のストリップアプリケータを提供することである。
【課題を解決するための手段】
【０００９】
この目的のために、本発明は、
把持可能なケーシングと、
ケーシングに対して移動し且つ使用形態においてケーシングから突出する可動式の付着ヘッドと、
基材に実装される部材を支持する支持ストリップと、
ケーシング内に配置され且つ付着ヘッドの上をストリップを移動させるようにデザインされたストリップ移動デバイスと、
を具備した手動ストリップアプリケータであって、
アプリケータはケーシングと付着ヘッドとに接続されたリターンデバイスを追加的に具備し、
リターンデバイスは、使用形態において付着ヘッドのケーシングに関連した近位位置と遠位位置との間の変位を可能とし、使用形態において実装ヘッドを遠位位置へと移動させる復元力を負荷するように形成された手動ストリップアプリケータを提案している。
【００１０】
そのようなリターンデバイスの実現は、基板上への部材の塗付の質、特に、紙のシート上への修正フィルムの貼り付けを概略改良することが見受けられる。したがって、基材の滑らかさおよび被覆さえも容易に得られる。ストリップアプリケータが持ち上げられる位置近傍である、フィルム材料の終端における塗付の欠陥の大幅な減少が見られ、材料が切断される同じ位置においての欠陥も減少している。
【００１１】
発明者は、この改良された結果および付着ヘッドの基材からのより急激な持ち上げによってデバイスが基材から持ち上げられるときの改良された使用の容易性を説明している。ユーザがストリップアプリケータを起こす動作を始めたとき、付着ヘッドは、付着ヘッドからケーシングから可能な限り遠い遠位位置に到達するまで接触したままである。ちょうどその瞬間、ユーザの手はその動作の開始時よりも速く移動しており、結果的に手はより素早く基材を離れる。このことはフィルム材料の切断を促進するか、またはサポートストリップ上のパッチに供給された材料に関係して、付着ヘッドによる支持に部分的にのみ対抗した場合でさえも完全に離れることを促進する。
【００１２】
本発明の特別な特徴によれば、ストリップ移動デバイスは、単に部材の実装の際に付着ヘッドにおいて負荷された圧力によって移動される。したがって、付着ヘッドが移送面の上を移動したときのみ、部材（コーティングフィルムまたは類似の部材）はサポートストリップから受容面へと移送される。ストリップは現実に巻き出され、付着ヘッドによって受容面に平行な付着ヘッドの変位の効果の下で当該受容面に対して押圧される。この付着ヘッドは薄い端部を備え、その端部の周りにサポートストリップが曲がるようになっている。
【００１３】
好適に、遠位位置と近位位置との間の付着ヘッドの変位の振幅が２〜１０ｍｍの間、好適に６〜８ｍｍの間である。実施された第１の試験によれば、これらの数値は部材、特に修正フィルムの端部の塗付品質、と使用の容易性と、の間の良好な譲歩を提供している。低い数値はあるユーザにとってフィルムの切断の品質を低下させ、一方で高い数値は使用形態において固定されたヘッドを備えたアプリケータデバイスに慣れたユーザにとって不快な感覚を創造し得る。
【００１４】
好適に、遠位位置と近位位置との間における付着ヘッドの近位位置に向かう復元力は０．５〜１２Ｎの間、好適に１〜８Ｎの間であり、近位位置に接近したときに非常に顕著に増大する。
【００１５】
「非常に顕著に」との表現は、力の増加が遠位位置と近位位置との間の金属コイルバネから得られる力のような正比例のものよりもより大きいということを示唆している。これらの力の数値は、付着ヘッドを持ち上げるときの突発的な動作を改良するための使用の際にヘッドのある反応に関しての必要性と、ユーザに内側に後退したヘッドの不快な感覚を与えるであろう低すぎる数値と、の間の有利な妥協点を示唆している。
【００１６】
別の特別な特徴によれば、リターンデバイスは少なくとも第１磁石部材と第２磁石部材とを具備し、第１および第２磁石部材は使用形態において互いに概略対面して、この形態において反対方向に磁力線を発生するように配置されている。この配置は磁気的反発力を最適化している。バネの反発力と異なって、磁気的反発力は付着ヘッドの変位に伴って線形に変化しない（磁気抵抗は磁気システムの２つの端部が近傍に引き寄せられたときに増大する）。特にこのことはヘッドが使用の際に過剰に後退することを防止している。
【００１７】
別の特別な特徴によれば、第２磁石部材はストリップ移動デバイスに一体的に取り付けられ、使用形態において付着ヘッドの変位の方向に略平行な磁力線を発生するようにデザインされている。この配置は付着ヘッドの変位を容易にしている。
【００１８】
別の特別な特徴によれば、ケーシングはストリップ移動デバイスの並進運動をガイドするための部材を備え、部材は付着ヘッドに近位位置において第２磁石部材が第１磁石部材とほぼ接触するようにデザインされている。近位位置に接近したとき、反発力は非常に大きく（バネ力よりもはるかに大きく）なり、ヘッドをさらに引き戻す磁気抵抗が得られる。
【００１９】
別の特別な特徴において、第１磁石部材は第１磁石部材の回転を第１位置と第２位置との間で制御するようにデザインされた手動式作動部材に接続されており、第１位置は、アプリケータが付着ヘッドの使用形態にあり、第２位置は、アプリケータが付着ヘッドの退避位置にある。したがって、例えばノブの形状の作動部材の配置は、プッシュボタンと追加のロック解除要素とを使用するシステムに比較して簡素化されることが可能である。付着ヘッドとストリップとは退避位置において有利に保護され、アプリケータを突発的に作動する危険性は制限されている。
【００２０】
別の特別な特徴によれば、第１磁石部材および第２磁石部材の各々は、使用形態および退避形態において互いに対面した略平坦な側面をそれぞれ備えている。したがって、誘引力と反発力とは磁石の間で接近すると友により強力になる。しかしながら、これらの平坦面は第１磁石部材の回転を妨げない。
【００２１】
別の特別な特徴によれば、第１磁石部材は２つの反対側の端部に単極の面を備え、磁石部材の回転は付着ヘッドの変位の方向に直交した軸の周りに行われる。この配置は、磁石の１つの面が可動式のストリップ移動デバイスの一体部品である磁石に磁気的に取り付けられたとき、第１磁石部材を変位するために負荷されなければならない力を最小化している。
【００２２】
別の特別な特徴によれば、第２磁石部材は、少なくとも双極性で第１磁石部材に面したほぼ平坦な面を備え、第１磁石部材は付着ヘッドの変位の方向に平行な回転軸を備えている。回転と磁石の面における２つの領域（例えば２つの隣接領域）の間の極性の相違によって、この配置は付着ヘッドの位置を変化させるために負荷される力を有利に減少している。この配置は、互いに磁石を移動させて離す必要がないため、コンパクトでもある。
【００２３】
別の特別な特徴によれば、付着ヘッドとストリップ移動デバイスとは一体的に取り付けられ、ケーシングのガイド部材によって並進移動においてガイドされており、リターンデバイスはケーシングに固定された第１磁石部材と、ストリップ移動デバイスに固定された第２磁石部材と、を具備している。したがって、リターンデバイスはストリップ移動デバイスの延伸内に配置されることが可能であり、ストリップ移動デバイスはストリップリールを形成し、アプリケータの前部の体積を特に小さくなるように形成することが可能である。このことは、アプリケーションヘッドの反対面で発生し得るユーザのための動作を簡素化している。
【００２４】
別の特別な特徴によれば、使用形態において、付着ヘッドの変位の方向に沿って第１磁石部材の位置を調節するための部材を具備している。したがって、反発力はユーザによって当該ユーザがヘッドの後退を望む圧力に対抗するように調節されることが可能である。
【００２５】
本発明の別の目的は、ユーザによって容易に作動される可動式付着ヘッドを備えたより簡易なデザインのアプリケータである。
【００２６】
この目的のために、本発明は、
把持可能なケーシングと、
ケーシングに対して移動し且つ使用形態においてケーシングから突出する可動式の付着ヘッドと、
基材に実装される部材を支持する支持ストリップと、
ケーシング内に配置され且つ付着ヘッドの上をストリップを移動させるようにデザインされたストリップ移動デバイスと、
を具備した手動ストリップアプリケータであって、
アプリケータはケーシングに接続された第１磁石部材と付着ヘッドに接続された第２磁石部材とを具備した磁石デバイスを備え、磁石デバイスは付着ヘッドを退避形態に対応したケーシング内の位置から、使用形態に対応した突出位置まで移動させるアプリケータを提案している。
【００２７】
したがって、移送ヘッドの可動性はユーザがバネ圧縮機構を作動させることなく得られる。それは、磁石または類似の部品の位置を変化させることで十分であり、一般的に小さいサイズの磁石部品の使用を試みることなく実行され得る。付着ヘッドの変位の両方の方向は有利に同一の作動部材の操作に依存している。
【００２８】
本実施形態の特別な特徴によれば、磁石デバイスは２つの調節設定を備えた手動の作動部材を具備し、第１磁石部材は手動の作動部材に接続され、第２磁石部材はストリップ移動デバイスに一体的に取り付けられている。したがって、例えば、退避位置は有利に磁気的誘引の効果によって維持されており、移送ヘッドをケーシング内部に維持することを可能にし、衝撃から保護している。
【００２９】
本発明の他の特徴および利点は、添付図を参照して非限定的な実施例として提供された以下のいくつかの実施形態の記載から明らかになる。
【図面の簡単な説明】
【００３０】
【図１】本発明の好適な第１実施形態による、使用形態におけるアプリケータの内部を示した断面図である。
【図２】退避形態における図１のアプリケータを示した図である。
【図３】図１および２の実施形態によるアプリケータの外観を示した図である。
【図４】図１のアプリケータの正面の詳細を示した図である。
【図５】本発明の第２実施形態によるアプリケータの内部を示した断面図である。
【図６】図５のアプリケータの上面を示した図である。
【図７】第３実施形態によるアプリケータの上面を示した図である。
【図８Ａ】図７に示されたようなアプリケータ内に統合されたリターンデバイスの、２つの磁石部材の間の誘引の位置を示した図である。
【図８Ｂ】図７に示されたようなアプリケータ内に統合されたリターンデバイスの、２つの磁石部材の間の反発の位置を示した図である。
【発明を実施するための形態】
【００３１】
異なった図において、同一の参照符号は同一のまたは類似の部材を示している。
【００３２】
アプリケータ１は部材をシートまたは他の基材上に正確に置くことを可能にしている。それが矯正用である場合、部材の付着は瞬間的であり、乾燥時間が無い。使用される部材は、例えばシート紙のような基材へのその接着特性に基づいて選択され、本発明はこの部材に特に関係するものではないので、ここでは詳細に述べていない。アプリケータ１はもちろん、例えば基材の着色またはカバーなど、他の用途において使用されることが可能である。
【００３３】
図１、２、５および６を参照すると、アプリケータ１は、例えば互いに固定された相補的なシェル２ａ、２ｂから成るケーシング２を形成した本体を具備している。ケーシング２は好適に把持可能で小サイズであり、例えば長さＬは１６ｃｍよりも小さく、好適に１１ｃｍよりも小さい構造である。幅はおおむね一定であり、厚さは４ｃｍを超えず、平均的な幅は０．６〜２ｃｍであって、手中に保持するために好適である。ケーシング２の最大高さは６ｃｍを超えない。
【００３４】
図１を参照すると、付着ヘッド３はケーシング２の最前部に形成された開口４を通じて突出しており、アプリケータ１の構造を決定している。ケーシング２に関連したこの付着ヘッド３の組み立ては、ヘッド３がケーシング２の長手軸に沿ってスライドすることを可能にしている。
【００３５】
図２に見られているように、アプリケーションヘッド３は退避することも可能であり、例えば完全に退避して、ケーシング２の内部において保護される。したがって、ストリップ５は損傷または破壊から保護されている。ケーシング２内で巻き取られたストリップ５は、移送される部材のフィルムのためまたはパッチのための支持として寄与している。ストリップ５はアプリケーションヘッド３の端部３ａの周囲を包んでいる。
【００３６】
ストリップ移動デバイス６は公知であり、ケーシング２の内部に収容されて、付着ヘッド３の上をストリップ５を移動することが可能である。非限定的な実施例である図１および２において、付着ヘッド３とストリップ移動デバイス６とは一体に取り付けられている。ストリップリール機能は異なった規則において達成されることが可能であることが理解され、ここではさらに詳細に記載されていない。ストリップ移動デバイス６は、付着ヘッド３の経路の後に続いたストリップ５を巻くためのギア、ベルトまたは類似の部材を備えている。デバイス６は直接駆動タイプのデバイスである。ストリップ５は任意の幅であり、例えば修正用アプリケータである場合、おおよそ１ｃｍよりも小さい。
【００３７】
図１および５はアプリケータ１の構造を示しており、付着ヘッド３はケーシング２から突出している。この位置において、部材はサポートストリップ５からシートまたは他の任意の適切な基材（図示略）上へと移送されることが可能である。ストリップがケーシング２から突出する長さは、使用形態においてはショートポジションに限定されている。このショートポジションはケーシング２から一般的には曲げ戻して突出しており、曲げ戻される位置の前の付着ヘッド３の底部３ａに沿ってガイドされた送出部と、曲げ戻された後の付着ヘッド３の頂部３ｂに沿ってガイドされた送入部と、に細分化されている。ストリップ５は、部材の付着の際、付着ヘッド３の薄い端部３ａによって周知の方式において支持されている。
【００３８】
図１〜７に示されたような本発明の好適な実施形態において、アプリケータ１の付着ヘッド３はケーシング２に対して移動する。この移動はガイド部材７によって制限されており、付着ヘッド３の変位を使用形態に相当する前進位置と後退位置との間で可能にしたリターンデバイス８によって制御されている。リターンデバイス８は例えばケーシング２と付着ヘッド３とに接続されており、使用形態において付着ヘッド３の変位をケーシング２に対して近位位置と遠位位置の間で可能にしている。ストリップ５はケーシング２に接続された１つ以上の補助ローラまたは補助シリンダＲによって移動の際にガイドされている。
【００３９】
図１、２および５の実施例において、リターンデバイス８は、ケーシング２に固定された第１部分とストリップ移動デバイス６に固定された第２部分とを具備している。非限定的な方式において、付着ヘッド３の変位は直線的である。使用形態において、リターンデバイス８の２つの部分は離れて移動するが、変位の制限された幅において互いに接近するように移動し、２つの部分のための初期位置が存在するように、変位の制限内で互いに相互作用する。
【００４０】
より具体的には、リターンデバイス８はケーシング２に接続された部分を介して基準位置ｘ０を形成しており、その位置は付着ヘッド３の変位の際に固定されている。リターンデバイス８の可動部は、基準位置ｘ０に対して離間された２つの位置ｘ１とｘ２との間で移動する。図１および５の非限定的な実施例において、磁石Ｍを具備したこの部分は、例えば部材が付着される基材によって付着ヘッド３に力が負荷されたとき、最小離間位置ｘ１に向かって移動する。その後、リターンデバイス８はその２つの部分の間で反力を発生し、最大離間位置である位置ｘ２に向かって可動部を移動させる。位置ｘ２はアプリケータ１の使用態様において付着ヘッド３の初期位置に相当している。
【００４１】
上述の発明は、圧縮または近接の増大に反する反力を伴っている。あまり好ましくない変化形において、反力は牽引に反応して発生され得る。したがって、使用形態における付着ヘッド３の初期位置は、基準位置ｘ０に対するデバイス８の可動部の最小離間の位置に相当している。この場合、反力は最小離間の位置に向かって移動するように発生される。
【００４２】
リターンデバイス８の実施形態の形態に関わらず、アプリケータ１を移送の端部において基材から引き上げるとき、突然の挙動を得ることが理解されるため、このリターンデバイス８は付着ヘッド３の遠位端に向かって反力を負荷する用にデザインされている。リターンデバイスは異なった構造を備え、リターンデバイス８によって負荷された力はより適切な構造に向かって発展する傾向に帰結する。
【００４３】
負荷された力は、例えばリターンデバイス８の２つの磁石部材ＡおよびＭの間磁石の反発力に相当する。この場合、これら２つの磁石部材の第１部材Ａは例えば１つ以上の磁石１０、１１を具備し、ケーシング２に接続されており、一方で、第２磁石部材Ｍは付着ヘッド３とストリップ移動デバイス６とを具備した可動要素１２に接続されている。要素１２のケーシング２内における位置はリターンデバイス８によって有利に制御され、リターンデバイス８の手動操作部によって調節されている。
【００４４】
第１実施形態は図１〜４を参照してここに記載されている。
【００４５】
図１および２に見られているように、要素１２はケーシング２内においてスライドするように組み立てられている。第２磁石部材は例えば磁石Ｍであり、支持構造１４のサポート１４ａを利用してストリップ移動デバイス６の後部に取り付けられている。変化形として、付着ヘッド３のより複雑なおよび／もしくは回転または他の適切な移動となる変位は、ケーシング２内において適切なガイドが存在する限り、得られることも可能である。
【００４６】
第１磁石部材Ａは２つの調節設定とともに作動アセンブリ内に配置されている。図１〜３に示されたように、作動部材２３は磁場の方向に直交した軸の周りに回転するノブに相当し、その磁場は作動アセンブリＡの少なくとも１つの磁石１０、１１と付着ヘッド３に接続された磁石Ｍとの間で形成され得る。ノブは手動で回転されて調節し、且つたとえば２つの作動位置の間で１８０°回転することが可能である。より一般的には、作動部材２３は、使用形態を稼動させた第１位置と、退避形態を稼動させた第２一と、の間において手動で移動されることが可能である。作動部材２３は回転するように記載されているが、その変位は並進または並進と回転との組み合わせ、例えば螺旋移動に対応することも可能である。
【００４７】
図１および２を参照すると、サポート１４ａは磁石Ｍを受容するためのハウジングを形成し、ケーシング２に接続された磁石部材Ａに関連した凸面と接触することが可能な凹面を備えている。ハウジングは要素１２の外側に配置され、その長さを減じている。したがって、ハウジングは要素１２が延在している方向とローラ軸の方向とによって定義された平面の外側に配置されている。ケーシング２は、後部において手中に容易に把持される湾曲を有する。
【００４８】
この第１実施形態において、付着ヘッド３に接続された磁石Ｍは付着ヘッド３に向かい合った側において正反対の極を備えている。図１および２の実施例において、磁石ＭはＮ極を備え、それは付着ヘッド３の変位の方向に平行であり、磁石部材Ａに向かって面している。
【００４９】
図１に示された使用形態において、作動アセンブリ内に載置された磁石１０はＮ極を備え、同一の極（Ｎ極）を備えた磁石Ｍの後側に面している。言い換えると、磁石１０およびＭは互いに面して配置され、この方式において磁力線は向かい合った方向に発生している。したがって、磁力線は付着ヘッド３にほぼ平行に形成されている。結果的に反発力は付着ヘッド３をケーシング２に対して遠位位置に向かって移動させる。実際に、磁石１０およびＭの過度の接近はこの場合特にリターンデバイス８の不安定な構造につながる。この反発力は例えば０．５〜１２Ｎの間であり、好適には遠位位置と近位位置との間で１〜８Ｎの間である。
【００５０】
磁石とともに、この力はさらに近位位置の接近を増大させる。あまり好適でない変化形において（図示略）、リターンデバイス８は磁石１０およびＭの代わりにバネ、特に金属コイルバネを使用して、弾性復元力を負荷してもよい。この場合、バネは一端においてケーシング２に、他端において付着ヘッド３に接続されている。復元力はバネ定数に直接的に正比例する。したがって、図１に示された磁石緩衝を備えた使用形態の多数の利点は、付着ヘッド３の遠位位置に向かって負荷された類似の反発力を備えた弾性緩衝を使用することで得られる。
【００５１】
図１および２を参照すると、付着ヘッド３の変位の振幅は遠位位置と近位位置との間、例えば２〜１０ｍｍの間であり、好適に約７ｍｍである。したがって、基材に対するアプリケータ１の押圧の際の付着ヘッド１の後退動作は、アプリケータ１の押圧が中断されるとき、すなわちユーザがアプリケータ１を持ち上げたときに、突然動く原因となるのに十分である。退避形態と使用形態との間の付着ヘッド３の変位の振幅ｄは、緩衝の際の変位の振幅よりも約１ｍｍ大きくすることが可能である。
【００５２】
図１および２に見られているように、ストリップ移動デバイス６は使用の際にストリップ５を巻き付かせ、且つ前進させる。ストリップ５が巻き付くことが可能な１つまたは複数のローラは支持構造１４内に組み立てられており、要素１２が延在した方向に直交している。支持構造１４は複数の平坦な壁を備え、ストリップ５の巻き着けをガイドしている。これらの壁の１つは部分１５の中間部に相当し、後端においてサポート１４ａと、前端において付着ヘッド３と、を具備している。要素１２のスライドは複数の平行なガイド部材７によって前端と後端とにおいてガイドされ、ストリップ移動デバイス６内においてストリップ５の経路に対して側方にオフセットされている。アプリケータ１の使用形態において、要素１２は後方に向かってスライドし、前方に向かった要素１２の復元はケーシング２の１つ以上の停止部１６によって制限されており、停止部は例えば開口４の近傍に配置されたガイド部材７の後端に形成されている。
【００５３】
図４を参照すると、ステム１７は付着ヘッド３を要素１２の残りの部分に接続している。このステム１７はフィン１８または他の突出部材を備え、ケーシング２の一部として形成された２つの平行なガイド部材７の間に形成されたスリットと係合することが可能である。
【００５４】
さらに図４を参照すると、付着ヘッド３は自由端において平坦とすることが可能であり、ストリップの曲げ戻しを容易にしている。付着ヘッド３は、付着ヘッドの自由端近傍において１つ以上の上向きまたは下向きの（スライドの方向に直交した）突起１９を備えている。アプリケータ１の退避形態に相当した図２の非限定的な実施例において、突起１９はケーシング２内に形成された少なくとも１つの停止面と係合する。ここで、付着ヘッド３の両側部に形成された２つの突起１９はガイド部材７のプレート上の前面を押圧し、付着ヘッド３の後退を制限している。
【００５５】
アプリケータ１が図２に示したように退避形態にある場合、作動アセンブリ内の磁石１１は付着ヘッド３に接続された磁石Ｍの後側に面したほぼ平坦な面を備えている。作動アセンブリのためのノブの回転軸Ｘが付着ヘッド３の変位に直交しており且つ磁石Ｍの後側に平行であるとき、ノブの回転によって達成される磁力的な取り外しは磁石１１の引張力に打ち勝たなければならないことよりも容易である。ストリップ移動デバイス６はガイド手段、例えばケーシング２内の横溝２２（図１）および要素１２に配置された側方リブまたは類似のものと関わりを持つ。これらのガイド手段は、付着ヘッド３の近位位置（図２）において磁石Ｍが磁石１１とほとんど接触するようにデザインされている。したがって、突起１９はガイド部材７の対応した停止面７ａと接触する。この場合、磁石１１およびＭは互いから約１または２ｍｍの短い距離とすることが可能である。代替的に、これらの２つの磁石１１およびＭはアプリケータ１の退避形態において並ぶことが可能である。
【００５６】
磁石１１のＳ極は磁石ＭのＮ極を磁力的に引き付けるので、要素１２は使用形態から退避形態へと単純にノブの回転によって移動することが可能である。したがって、要素１２は退避形態において維持される。使用形態への復元は、ユーザが作動部材２３を作動させて、磁石部材ＡのＳ極が磁石ＭのＮ極と面しなくなった場合にのみ可能とされている。
【００５７】
図示された磁石１０、１１、Ｍは円筒形であり、例えば１５ｍｍよりも小さい径であるが、もちろんケーシング２内に収容可能な任意の形状の磁石は均等に適切である。
【００５８】
付着ヘッド３はここでは磁石Ｍと同一の可動性を備えているので、図２に示されたような、軸Ｘの周りにノブを回転させて磁気的誘引モードから磁気的反発モードへと変化させる磁石１１の変位は、付着ヘッド３を退避位置から突出位置へと変位させる動作に相当することが理解されるだろう。それに類似して、図１に示したような、軸Ｘの周りにノブを回転させて磁気的反発モードから磁気的誘引モードへと変化させる磁石１０の変位は、付着ヘッド３を突出位置から退避位置へと変位させる動作に相当することが理解されるだろう。
【００５９】
第１実施形態において、一方がＮ極を形成し且つ他方がＳ局を形成した明確に識別される２つの面が存在するために、回転的調整動作アセンブリ内における１つ以上の磁石１０、１１の配列は、付着ヘッド３に接続された磁石Ｍによって負荷された磁気的引力から開放されるために負荷されなければならない力を最小化している。回転軸の両側にそれぞれが配列された２つの磁石１０、１１の配列は、共通の且つ安価な商用磁石の使用を可能にしている。これらの２つの磁石１０、１１はそれぞれが回転軸に対向した磁極化された面を備え、１つは磁石Ｍの誘引のためであり、他は磁石Ｍの反発のためである。もちろん、１つ以上の磁石の他の任意の配列が作動アセンブリ内において使用可能である。
【００６０】
図１〜４の非限定的な実施例において、ノブまたは類似の要素の１８０°の回転は退避形態から使用形態へと変化させる。ノブの２つの位置の各々はケーシング２と、ノブおよび／またはノブの軸要素と、のあいだの固体接点に関係付けられている。このことは、磁石１０に負荷された磁気的反発力にもかかわらず、ノブを固定位置に維持することを可能にしている。また、ノブはケーシング２の内部に大部分が収容されることが可能である。図３に示されたように、接触部２４はケーシング２の上部開口２５を通じて突出し、最大でも作動の部の周囲の４分の１を現している。
【００６１】
第２実施形態が図５および６に関連してここに記載されている。
【００６２】
この第２実施形態において、アプリケータ１は付着ヘッドの遠位部に向かって付着ヘッド３を連続的に進めるリターンデバイス８を具備している。このために、磁石１０、Ｍは互いに同一の磁極が面している。第１実施形態と比較して、デバイス８は、磁石２０が付着ヘッド３に接続された磁石Ｍに対向した磁石部材を形成し、反発位置に向かって付着ヘッド３を移動させるための部材が存在していない点において異なっている。磁石Ｍに磁気的反発力を負荷するために、磁石２０はケーシング２に対して固定された所定の位置において単に維持されている。
【００６３】
反発力を調節するための機構は、磁石２０と磁石Ｍとの間の距離を調節することを可能にしている。図５および６に示された実施例において、調節機構の可動部材３１は、磁石２０の一調節に使用するために、例えばケーシング２内において横に延在し、磁石２０に一体に取り付けられている。ここで、可動部材３１はケーシングの外側に突出した自由端を備えている。したがって、ユーザは要素１２に負荷された前向きの力を減少または増大させる。
【００６４】
第２実施形態の残りは上述された第１実施形態と全体的に類似している。特に、反発力は同じ力の数値範囲内とされることが可能である。また、停止部１６は付着ヘッド３の遠位位置を位置付けている。
【００６５】
第３実施形態は図７ならびに８Ａおよび８Ｂに関連してここに記載されている。
【００６６】
この第３実施形態において、要素１２はこれまでに記載された２つの実施形態と後端部を除いて同一とすることが可能である。サポート１４Ａは、付着ヘッド３に接続された磁石Ｍの後面を越えて延在していない（図示されていない）サポートと置き換えられることが可能である。さらに、磁石Ｍは後面Ｆ（両極面）において１つよりも多い磁極を備えることが可能である。
【００６７】
したがって、図８Ａおよび８Ｂに見られているように、付着ヘッド３に接続された磁石Ｍは作動部材２３に接続された回転磁石３０の双極面に面した双極面を備えている。回転磁石３０は、使用形態および退避形態の両方の形態において、付着ヘッド３に接続された磁石Ｍに面した同一の面を備えている。
【００６８】
この回転磁石の面は外向きの力線（Ｎ極）と内向きの力線（Ｓ極）との両方を備えている。特に、回転磁石３０は磁石３０の回転軸Ｘ´に対して角度方向にオフセットされた少なくとも２つの異なった領域を備え、その一方はＮ曲煮対応しており、他方はＳ極に対応している。図８Ａに示されたように、図２に示された位置に類似した退避位置は、回転磁石３０が磁石Ｍの後面Ｆの力線の方向と反対の力線を備えた場合に得られる。
【００６９】
図８Ａに示されたように、回転磁石３０は２つの磁石３０およびＭを通った幾何学的軸Ｘ´の回りに回転する。この配置を伴って、ユーザは左から右へのまたは右から左への回転動作によって一の形態から他の形態へと変化させることが可能である。このツイスト動作によって、磁石３０の２つの面を分離して使用形態とすることが容易になる。これは、反対の極性の領域が各々の磁石３０およびＭにおいて隣接し、磁気的誘引力を打ち壊すことが磁石を引き離すよりもより容易であることによるものである。
【００７０】
図４および８Ｂに対応した使用形態において、磁石３０と磁石Ｍとの間の力線の対極性は、付着ヘッド３の近位位置を不安定にしている。したがって、リターンデバイス８は、磁石３０と磁石Ｍとの間の最大距離によってより安定した構造となる。この離間は停止部１６の存在のために（図１参照）制限されたままである。離間は付着ヘッド３の変位の振幅ｄに対応することが可能である。
【００７１】
本発明の利点の１つは、使用形態における付着ヘッド３の可動性にあり、それは基材上への部材の実装の質を改良するために役に立っている。実際のところ、付着ヘッド３の前進位置／遠位位置に向かった復元動作は材料の開放を容易にすることが可能である（結果的に急な動作は移送の端部において接着剤のフィルムの破壊に積極的に寄与している）。このことは、使用形態においてデバイスを機械的にロックするための任意の機構を排除することも可能にしている。本発明の別の利点は、可動付着ヘッド３を備えたアプリケータ１のデザインが簡素化されることが可能なことである。
【００７２】
上述の実施形態の形状および詳細は一体にまたは分離して使用されることが可能であることが理解されるだろう。本発明は特許請求の範囲の発明の範囲を逸脱することなく他の多くの特別な形状とすることが可能であることが、当業者には明確である。特に、フィルムまたはパッチを形成した材料は少なくとも１つのコーティング材料に対応し、それは白もしくは別の色、または半透明（もしくは透明）である。
【００７３】
リターンデバイス８がアプリケータ１の後部に配置されたとして図示されているが、デバイスの他の配置が可能であり、デバイス８は後端よりもむしろ前端に近い位置を占めることが可能である。また、デバイス８はストリップ５に直交した支持構造１４の中間面に対して側方にオフセットされることが可能である。いくつかの変化した実施形態において、デバイス８はケーシング２の外側に大部分が配置されることが可能である。
【００７４】
磁石を使用した実施形態において、サポート１４ａは磁石Ｍの取り外し可能な取付部品とすることが可能である。追加的にまたは代替的に、サポート１４ａは支持構造１４から分離されることが可能である。したがって、ほかの要素１２が、ユーザがケーシング２から除去可能な互換性のあるカートリッジを形成しているので、ストリップ５を交換することが可能である。このカートリッジを除去するために、ケーシング２は手動で取り外し可能な部品を備え、その部品はほかのケーシング２に素早く取り付けることが可能である。
【００７５】
図示された実施形態において、復元機能が存在し、結果的に作動部材２３が使用形態へと自動的に移動する。しかしながら、復元機能の動作とは無関係に、磁石部材も退避形態から使用形態へと変化させることが可能である。例示されたとおり、第１作動部材は付着ヘッド３の退避または突出に単独で寄与し、一方で追加的な第２作動部材は使用形態において復元機能の動作を可能にしている。例えば、そのような第２作動部材は使用形態において復元力と磁気緩衝とを備えた第１モードと、付着ヘッド３の固定化を伴った第２モードと、の間の選択に関して寄与することが可能である。この第２モードは、アプリケータ装置に成れたユーザによる使用の際に、使用形態においてヘッドを固定するために好適である。
【符号の説明】
【００７６】
１  ・・・アプリケータ、      ２  ・・・ケーシング、      ３  ・・・付着ヘッド、      ４  ・・・開口、      ５  ・・・ストリップ、      ６  ・・・ストリップ移動デバイス、      ７  ・・・ガイド部材、      ８  ・・・リターンデバイス、      １０，１１，２０  ・・・磁石、      １２  ・・・可動要素、      １３  ・・・作動部材、      １４  ・・・支持構造、      １７  ・・・ステム、      １８  ・・・フィン、      ２２  ・・・横溝、      ２３  ・・・作動部材、      ２４  ・・・接触部、      ３０  ・・・回転磁石、      ３１  ・・・可動部材、      Ａ，Ｍ  ・・・磁石部材、      Ｒ  ・・・ローラ
【図１】
0005406367.tif 000002
【図２】
0005406367.tif 000003
【図３】
0005406367.tif 000004
【図４】
0005406367.tif 000005
【図５】
0005406367.tif 000006
【図６】
0005406367.tif 000007
【図７】
0005406367.tif 000008
【図８Ａ】
0005406367.tif 000009
【図８Ｂ】
0005406367.tif 000010